(57)【特許請求の範囲】
【請求項１】
巻き回されたホースを収納する箱形状の本体部と、該本体部の上面を覆う天板部とを有する消火栓装置であって、
前記本体部内に配置されて、該本体部の上方まで引き上げ可能に設置されたホースバケットと、
前記天板部に設けられて、前記ホースバケットが通過可能な開口面積を有する上面開口部と、
該上面開口部を開閉可能に覆うと共に前記天板部の位置から前記本体部の下部まで下降可能に設けられた上面蓋部材と、
前記ホースバケットを上方に移動させる補助的な力を付与する上動力付与手段とを備え、
該上動力付与手段は、下降可能な状態の前記上面蓋部材に作用する重力を、前記ホースバケットを上方向に移動させる力に変換して該ホースバケットに付与するように構成されていることを特徴とする消火栓装置。
【請求項２】
前記上動力付与手段は、一端側が前記上面蓋部材に連結され他端側が前記ホースバケットの下部に連結されたロープ状部材と、
該ロープ状部材に当接して前記上面蓋部材から前記ロープ状部材に作用する力の向きを前記ホースバケットを上方に移動させせる方向に変換する滑車とを備えてなることを特徴とする請求項１記載の消火栓装置。
【請求項３】
消火器を収納する箱形状の消火器箱本体部と、該消火器箱本体部の上面を覆う消火器箱天板部とを有する消火器箱であって、
前記消火器箱本体部内に配置されて、該消火器箱本体部の上方まで引き上げ可能に設置された消火器収納箱と、
前記消火器箱天板部に設けられて、前記消火器収納箱が通過可能な開口面積を有する消火器収納箱上面開口部と、
該消火収納器箱上面開口部を開閉可能に覆うと共に前記消火器箱天板部の位置から前記消火器箱本体部の下部まで下降可能に設けられた消火器収納箱上面蓋部材と、
前記消火器収納箱を上方に移動させる補助的な力を付与する上動力付与手段とを備え、該上動力付与手段は、下降可能な状態の前記消火器収納箱上面蓋部材に作用する重力を、前記消火器収納箱を上方向に移動させる力に変換して該消火器収納箱に付与するように構成されていることを特徴とする消火器箱。
【請求項４】
前記上動力付与手段は、一端側が前記消火器収納箱上面蓋部材に連結され他端側が前記消火器収納箱の下部に連結されたロープ状部材と、
該ロープ状部材に当接して前記消火器収納箱上面蓋部材から前記ロープ状部材に作用する力の向きを前記消火器収納箱を上方に移動させる方向に変換する滑車とを備えてなることを特徴とする請求項３記載の消火器箱。
【請求項５】
請求項３又は４に記載の消火器箱を備えたことを特徴とする請求項１又は２に記載の消火栓装置。
【発明の詳細な説明】
【技術分野】
【０００１】
本発明は、トンネル等に設置される消火栓装置及び消火器箱に関する。
【背景技術】
【０００２】
トンネル等に設置される消火栓装置は、例えば特許文献１に開示されたように、消火栓本体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置の前面側は、車道に近く、事故車等が消火栓装置の前面側にあることも考えられ、消火栓装置の前面にはほとんど空間がないことも考えられる。そのため、消火活動を迅速に行えないことが想定される。
【０００７】
本発明はかかる課題を解決するためになされたものであり、消火栓装置を監視員通路内に埋め込むようにして設置した場合においても、消火ホースの取り出しに支障が生ずることなく迅速な消火活動ができる消火栓装置を得ることを目的としている。
また、消火器箱を監視員通路内に埋め込むようにして設置した場合において、消火器箱の天板部を監視員通路の路面の一部として供用できると共に、消火器の取り出しに支障が生ずることなく迅速な消火活動ができる消火器箱を得ることを目的としている。
【課題を解決するための手段】
【０００８】
（１）本発明に係る消火栓装置は、巻き回されたホースを収納する箱形状の本体部と、該本体部の上面を覆う天板部とを有する消火栓装置であって、
前記本体部内に配置されて、該本体部の上方まで引き上げ可能に設置されたホースバケットと、前記天板部に設けられて、前記ホースバケットが通過可能な開口面積を有する上面開口部と、該上面開口部を開閉可能に覆う上面蓋部材と、前記ホースバケットを上方に移動させる補助的な力を付与する上動力付与手段とを備えたことを特徴とするものである。
【０００９】
（２）また、上記（１）に記載のものにおいて、前記上面蓋部材は、前記天板部の位置から前記本体部の下部まで下降可能に設けられており、
前記上動力付与手段は、下降可能な状態の前記上面蓋部材に作用する重力を、前記ホースバケットを上方向に移動させる力に変換して該ホースバケットに付与するように構成されていることを特徴とするものである。
【００１０】
（３）また、上記（２）に記載のものにおいて、前記上動力付与手段は、一端側が前記上面蓋部材に連結され他端側が前記ホースバケットの下部に連結されたロープ状部材と、
該ロープ状部材に当接して前記上面蓋部材から前記ロープ状部材に作用する力の向きを前記ホースバケットを上方に移動させせる方向に変換する滑車とを備えてなることを特徴とするものである。
【００１１】
（４）また、本発明に係る消火器箱は、消火器を収納する箱形状の消火器箱本体部と、該消火器箱本体部の上面を覆う消火器箱天板部とを有する消火器箱であって、
前記消火器箱本体部内に配置されて、該消火器箱本体部の上方まで引き上げ可能に設置された消火器収納箱と、前記消火器箱天板部に設けられて、前記消火器収納箱が通過可能な開口面積を有する消火器収納箱上面開口部と、該消火収納器箱上面開口部を開閉可能に覆う消火器収納箱上面蓋部材とを備えたことを特徴とするものである。
【００１２】
（５）また、上記（４）に記載のものにおいて、前記消火器収納箱を上方に移動させる補助的な力を付与する上動力付与手段を備えたことを特徴とするものである。
【００１３】
（６）また、上記（５）に記載のものにおいて、前記消火器収納箱上面蓋部材は、前記消火器箱天板部の位置から前記消火器箱本体部の下部まで下降可能に設けられており、
前記上動力付与手段は、下降可能な状態の前記消火器収納箱上面蓋部材に作用する重力を、前記消火器収納箱を上方向に移動させる力に変換して該消火器収納箱に付与するように構成されていることを特徴とするものである。
【００１４】
（７）また、上記（６）に記載のものにおいて、前記上動力付与手段は、一端側が前記消火器収納箱上面蓋部材に連結され他端側が前記消火器収納箱の下部に連結されたロープ状部材と、該ロープ状部材に当接して前記消火器収納箱上面蓋部材から前記ロープ状部材に作用する力の向きを前記消火器収納箱を上方に移動させる方向に変換する滑車とを備えてなることを特徴とするものである。
【００１５】
（８）また、上記（１）乃至（３）のいずれかに記載の消火栓装置において、上記（４）乃至（７）のいずれかに記載の消火器箱を備えたことを特徴とするものである。
【発明の効果】
【００１６】
本発明に係る消火栓装置は、本体部内に配置されて、該本体部の上方まで引き上げ可能に設置されたホースバケットと、天板部に設けられて、ホースバケットが通過可能な開口面積を有する上面開口部と、該上面開口部を開閉可能に覆う上面蓋部材と、前記ホースバケットを上方に移動させる補助的な力を付与する上動力付与手段を設けたことにより、例えば、消火栓装置を監視員通路内に埋め込むようにして設置した場合において、前記消火栓装置の前面側に事故車等があり消火栓装置の前面側からの操作ができないような場合であっても、前記ホースバケットを前記天板部の上方に引上げてホースを引き出すことができ、また前記上動力付与手段を有することで、前記ホースバケットの引上げに過大な力を要することがなく、円滑に前記ホースバケットを引き上げて迅速な消火活動ができる。
【図面の簡単な説明】
【００１７】
【図１】本発明の実施の形態１に係る消火栓装置の斜視図である。
【図２】図１に示した消火栓装置の正面図である。
【図３】図２の矢視Ａ―Ａ断面図である。
【図４】図２の矢視Ａ―Ａ断面の斜視図である。
【図５】図１に示した消火栓装置の動作を説明する動作説明斜視図である（その１）。
【図６】図１に示した消火栓装置の動作を説明する動作説明斜視図である（その２）。
【図７】図１に示した消火栓装置の動作を説明する動作説明斜視図である（その３）。
【図８】図１に示した消火栓装置の動作を説明する動作説明断面図である。
【発明を実施するための形態】
【００１８】
本実施の形態に係る消火栓装置の構成を、図１〜図４に基づいて説明する。なお、図１〜図４においては、本発明の特徴部分を図示しており、前面パネルについては通常のトンネル内に設けられる消火栓装置と同様の構成のため図示を省略している。
本実施の形態に係る消火栓装置１は、巻き回されたホース３を収納するホースバケット５を有する箱形状の本体部７と、本体部７の上面を覆う天板部９と、ホースバケット５を上方に移動させる補助的な力を付与する上動力付与手段１１とを備えている。
以下、各部材を詳細に説明する。
【００１９】
＜本体部＞
本体部７の内部には、図１〜図４に示すように、内巻きに巻き回されたホース３を収納する矩形のホースバケット５、および２本の消火器１３を横方向に並べて収納する消火器収納箱１５が設けられている。
本体部７におけるホースバケット５の四隅には、アングル材からなりホースバケット５をガイドするホースバケットガイド柱１７が立設されている。
ホースバケット５は、本体部７内に別体として設けられ、ホースバケットガイド柱１７にガイドされて上下方向に移動可能になっている。
ホースバケット５の上面部には、持ち手１９が設けられている。
【００２０】
また、本体部７（消火器箱本体部に相当）は消火器を収納する消火器収納箱１５と、該消火器収納箱１５の上面を覆う消火器箱天板部（本実施の形態では天板部９が兼用）とが備えられている。消火器収納箱１５の四隅にも、ホースバケットガイド柱１７と同様のアングル材からなり消火器収納箱１５をガイドする消火器収納箱ガイド柱２１が設けられている。
消火器収納箱１５は、本体部７内に別体として設けられ、消火器収納箱ガイド柱２１にガイドされて上下方向に移動可能になっている。
消火器収納箱１５の上面部には、持ち手２３が設けられている。
【００２１】
本体部７における前面側であって、正面視でホースバケット５を両側から挟む位置に一対の第１ガイド部材２５が立設されている。第１ガイド部材２５は、後述する上面蓋部材３７が本体部７の前面側下部まで移動するときに当該移動をガイドするものであり、図３、図４に示すように、本体部７の前面側の底面から鉛直上方に立ち上がる垂直部２５ａと、本体部７の上面位置で背面側に約９０°屈曲する水平部２５ｂとを有し、全体形状が倒立Ｌ字状をしている。なお、水平部２５ｂは水平ではなく、前面側へ向かって下方へ傾斜する傾斜部にしても良く、例えば、４５°以下の傾斜にすると良い。そうすることで、上面蓋部材３７が本体部７の前面側下部まで移動するときに当該移動をより滑らかにすることができる。
第１ガイド部材２５は、中央に軸線方向に沿うガイド溝２７が形成された細い板状の部材によって形成されている。
【００２２】
第１ガイド部材２５に相当する部材である第２ガイド部材２９が、本体部７における消火器収納箱１５側にも設けられている。すなわち、本体部７における前面側であって、正面視で消火器収納箱１５を両側から挟む位置に一対の第２ガイド部材２９が立設されている。第２ガイド部材２９の形状は第１ガイド部材２５と同様であり、後述する消火器収納箱上面蓋部材４１の移動をガイドするものである。
【００２３】
＜天板部＞
天板部９には、ホースバケット５の上方に相当する部位に上面開口部３３が設けられ、また消火器収納箱１５の上方に相当する部位に消火器収納箱上面開口部３５が設けられている。
上面開口部３３は、ホースバケット５を上動させたときに通過できる開口面積を有し、消火器収納箱上面開口部３５は消火器収納箱１５を上動させたときに通過できる開口面積を有している。
【００２４】
上面開口部３３には、上面開口部３３を開閉可能に覆う上面蓋部材３７が設けられている。上面蓋部材３７の両側辺部には、片側に２個ずつ突起部３９が設けられており（図３、図４参照）、突起部３９が第１ガイド部材２５のガイド溝２７に挿入されている。上面蓋部材３７は、第１ガイド部材２５にガイドされて、天板部９の位置（図１参照）から本体部７の前面側の下部（図７参照）にまで移動可能になっている。
なお、上面蓋部材３７の両側辺部に設ける突起部３９は片側に１個ずつ設けてもよい。
【００２５】
消火器収納箱上面開口部３５には、消火器収納箱上面開口部３５を開閉可能に覆う消火器収納箱上面蓋部材４１が設けられている。消火器収納箱上面蓋部材４１の両側辺部にも、上面蓋部材３７と同様の突起部４３（図示なし）が設けられており、突起部４３が第２ガイド部材２９のガイド溝３１に挿入されている（図４参照）。消火器収納箱上面蓋部材４１は、第２ガイド部材２９にガイドされて、天板部９の位置（図１参照）から本体部７の前面側の下部（図７参照）にまで移動可能になっている。
【００２６】
＜上動力付与手段＞
上動力付与手段１１は、上面蓋部材３７に作用する重力をホースバケット５の引上げ方向（即ち、上方向）の力に変換するものであり、本体部７におけるホースバケット５を挟む両側壁部４５に設けられた滑車４７と、一端側が上面蓋部材３７に連結され他端側がホースバケット５の下部に連結されたロープ状部材４９とを備えている（図３、図４参照）。なお、滑車４７は、上面蓋部材３７の両側辺部の突起部３９が第１ガイド部材２５の垂直部２５ａに移動したときに、ホースバケット５に上方向の力が作用するような高さに設けられることが好ましい。
【００２７】
上動力付与手段１１の機能は以下の通りである。
上面蓋部材３７が本体部７の前面側を下降可能な状態で、ホースバケット５を上面開口部３３から上方に引き上げると、上面蓋部材３７が本体部７の前面側を下降し、このとき上面蓋部材３７に作用する重力が、ロープ状部材４９及び滑車４７を介してホースバケット５の引上げ方向の力に変換される。ロープ状部材４９は滑車４７に当接して移動するが、滑車４７が回転することで摩擦力が小さくなり、ロープ状部材４９は円滑に移動する。
【００２８】
なお、上記の上動力付与手段１１は、ホースバケット５側のものについて説明したが、消火器収納箱１５側にも同様の上動力付与手段１１が設けられている。消火器収納箱１５側の上動力付与手段１１も、ホースバケット５側のものと同様の構成であり、滑車４７とロープ状部材４９（図示なし）とを備えている。
【００２９】
＜図示しないその他の構成＞
ホースバケット５の前面側には、ホース３の先端に設けられた消火ノズルを所定の位置に保持するためのノズルホルダ、消火栓弁を操作するための操作レバーが設けられている。
なお、操作レバー及びノズルホルダを設ける位置は、ホースバケット５を上昇させた状態でも操作できる位置になっている。
【００３０】
本体部７の前面側には、前面パネルが設けられ、前記前面パネルにおけるホースバケット５の前面に相当する部位には前面開口部が設けられ、前記前面開口部には開閉可能な前面扉（例えば、横開き式の扉）が設けられている。
また、前面パネルにおける消火器収納箱１５の前面に相当する部位には消火器収納箱前面開口部が設けられ、前記消火器収納箱前面開口部には例えば横開き式の消火器収納箱前面扉が設けられている。
【００３１】
前記前面扉を開扉することで、操作レバーの操作が可能で、かつノズルホルダに保持されている消火ノズルを取り外してホース３を引き出すことが可能になっている。
また、前記消火器収納箱前面扉を開扉することで、内部に載置されている消火器１３を取り出すことが可能になっている。
【００３２】
前面扉、消火器箱前面扉については、その開放方式は特に限定されるものではなく、前面扉を、下降式、引戸式、回動式、あるいは消火器箱前面扉を下降式、回動式にしてもよい。
また、前面扉および消火器箱前面扉はなくてもよく、その場合、道路側から操作する場合にもホースバケット５、消火器収納箱１５を引き上げて使用すればよい。なお、道路側から操作する場合は、持ち手１９を引き上げる操作の代わりに上面蓋部材３７、消火器収納箱上面蓋部材４１を下まで手で下げるようにすればホースバケット５、消火器収納箱１５を引き出して使用できる。
【００３３】
次に、上記のように構成された本実施の形態の消火栓装置１の動作について、図５〜図８に基づいて説明する。
なお、ホースバケット５側の動作と消火器収納箱１５側の動作は同じなので、以下の説明はホースバケット５側の動作について説明する。
【００３４】
図１、図８（ａ）に示す上面蓋部材３７を閉止した状態から、図５、図８（ｂ）に示すように、上面蓋部材３７の後辺を上方に持ち上げて、上面蓋部材３７の前辺側を本体部７の前面側の下方に移動させ、上面蓋部材３７の前辺側を下に後辺側を上にした垂直状態にする。この状態では、上面蓋部材３７は、第１ガイド部材２５にガイドされて自重によって下降できる状態になっている。もっとも、上面蓋部材３７はロープ状部材４９を介してホースバケット５に連結されているで、上面蓋部材３７はロープ状部材４９に引っ張られることで、図５、図８（ｂ）に示す状態を維持している。
【００３５】
この状態で、図６、図８（ｃ）に示すように、持ち手１９を持ってホースバケット５を引き上げると、ホースバケット５を引き上げた距離と同じ距離だけ上面蓋部材３７が第１ガイド部材２５にガイドされて下降する。上述したように、上面蓋部材３７に作用する重力がロープ状部材４９を介してホースバケット５を引上げる方向の力に変換されているので、ホースバケット５の引上げに必要な力は小さくてよい。
【００３６】
ホースバケット５をさらに引き上げると、図７、図８（ｄ）に示すように、ホース３を引き出し可能な状態にすることができる。なお、ホースバケット５を最も高い位置まで引き上げた状態で、ホースバケット５がその位置を保持するための保持部材を設けるようにするのが好ましい。
【００３７】
以上のように、本実施の形態においては、ホースバケット５及び消火器収納箱１５を天板部９の上方に引き上げて、ホース３を引き出したり、消火器１３を取り出したり出来るようにしたので、例えば、消火栓装置１を監視員通路内に埋め込むようにして設置した場合において、消火栓装置１の前面側に障害があるような場合であっても、ホース３や消火器１３の取り出しに支障が生ずることなく迅速な消火活動ができる。
【００３８】
また、ホースバケット５や消火器収納箱１５は相当な重量があるため、その引上げには相当な力を必要とするところ、本実施の形態では、上動力付与手段１１を設けることで、上面蓋部材３７や消火器収納箱上面蓋部材４１の下降時に作用する重力をホースバケット５や消火器収納箱１５の引上げ力に寄与させるようにしたので、小さな引上げ力でも引上げが可能になっている。
【００３９】
なお、上記の実施の形態では、上動力付与手段１１がロープ状部材４９と滑車４７によって構成されるものを示したが、本発明の上動力付与手段１１はこれに限られるものではなく、ホースバケット５や消火器収納箱１５を上方に引き上げる際の補助力を与えることができるものであれば、他の手段、例えばシリンダロッドを上方に向けた状態でホースバケット５に連結すると共にシリンダ部を本体部７の底板内壁側に固定したエアシリンダーや、ホースバケット５に上向きの付勢力を与える弾性部材等であってもよい。
【００４０】
また、ロープ状部材４９と滑車４７によって構成された上動力付与手段１１に加えて、上記のエアシリンダーや弾性部材等の他の上動力付与手段を設けるようにしてもよい。
【００４１】
また、上記の実施の形態の消火栓装置１は、ホースバケット５の収納部に隣接して消火器１３を収納する消火器収納箱１５を有するものを例示したが、本発明の消火栓装置は、消火器収納箱１５が必須ではなく、消火器収納箱１５のないものを排除するものではない。
【００４２】
また、上面蓋部材３７及び消火器収納箱上面蓋部材４１は、本体部７を構成する箱体より厚い金属板で構成しても良い。これにより、上面蓋部材３７及び消火器収納箱上面蓋部材４１の強度が高まるため、消火栓装置１を監視員通路内に埋め込むようにして設置した場合であっても、天板部９を歩行できると共に、上面蓋部材３７及び消火器収納箱上面蓋部材４１の重量が増すため、ホースバケット５や消火器収納箱１５を上方に引き上げる際の補助力が大きくなる。なお、補助力を付与するために、上面蓋部材３７や消火器収納箱上面蓋部材４１に錘を付けてもよい。
【００４３】
また、上記の説明では上面蓋部材３７及び消火器収納箱上面蓋部材４１は１枚の板状の部材で形成したものであったが、上面蓋部材及び消火器収納箱上面蓋部材は１枚の板状の部材ではなく、複数枚の板状部材を連結していわゆるシャッターのように形成してもよい。シャッターのように形成することで、上面蓋部材及び消火器収納箱上面蓋部材を移動させる際に、起立させることなく、本体部９の上面及び前面に沿わせて移動させることができる。なお、上面蓋部材及び消火器収納箱上面蓋部材を複数の板状部材で形成した場合には、突起３９の数は片側２個よりも多くてもよい。
【００４４】
また、上記の実施の形態は、ホース３を収納する消火栓装置１について説明したが、本発明はこれに限られるものではなく、ホースを収納しない、単に消火器収納箱を備えた消火器箱を含むものである。
なお、消火器収納箱の重量が過大ではない場合には、上動力付与手段は必須ではなく、本発明の消火器箱は、上動力付与手段を有していないものを含む。
【符号の説明】
【００４５】
１  消火栓装置
３  ホース
５  ホースバケット
７  本体部
９  天板部
１１  上動力付与手段
１３  消火器
１５  消火器収納箱
１７  ホースバケットガイド柱
１９  持ち手
２１  消火器収納箱ガイド柱
２３  持ち手
２５  第１ガイド部材
２５ａ  垂直部
２５ｂ  水平部
２７  ガイド溝
２９  第２ガイド部材
３１  ガイド溝
３３  上面開口部
３５  消火器収納箱上面開口部
３７  上面蓋部材
３９  突起部
４１  消火器収納箱上面蓋部材
４３  突起部
４５  側壁部
４７  滑車
４９  ロープ状部材
【図１】
0006731285.tif 000002
【図２】
0006731285.tif 000003
【図３】
0006731285.tif 000004
【図４】
0006731285.tif 000005
【図５】
0006731285.tif 000006
【図６】
0006731285.tif 000007
【図７】
0006731285.tif 000008
【図８】
0006731285.tif 000009